Podtech/llm-jp-corpus-v4-ja_patent huggingface dataset:
(57)【要約】【課題】ソケットをソケットホルダーに嵌めた状態では抜け落ちないように確実に保持出来る事と、ソケットホルダーに嵌める時と取り外す時には保持力を解除する切り替えが簡単に行えるソケットホルダーとする。【解決手段】一般的に使用されている４角形の差込口を持つたソケットに対して、ソケットホルダーの嵌め合い部分の形状を円柱形として、ソケットをソケットホルダーに嵌めた状態でも回転出来る様にし、ソケットホルダーの円柱形の部分にバネ性を有する保持装置を設けることによってソケットとソケットホルダーが嵌めあった状態で回転させることにより嵌め合いの位置を変えることで、ソケットを確実に保持する事と保持力を解除する切り替えを簡単に行う事を可能とした。【選択図】図３
2005224932.tif 000002
【特許請求の範囲】
【請求項１】
一般的に使用されている四角形の差込口のソケットに対してソケットホルダーの嵌め合い部分の形状を円柱形にし、ソケットをソケットホルダーに嵌めた状態でも回転出来る様にして、ソケットホルダーの円柱形の部分にバネ性を有する保持装置を設けることで、ソケットとソケットホルダーが嵌め合った状態で回転させて嵌め合いの位置を変えることによって、ソケットを確実に保持する事と、保持力を解除する切り替えを簡単に行う事が出来るソケットホルダー。
【発明の詳細な説明】
【技術分野】
【０００１】  本発明は一般的に使用されているラチェットレンチやインパクトレンチ等に使用されているソケットを取り外している時に収納して整理保管するためのソケットホルダーに関するものである。
【背景技術】
【０００２】  従来からソケットを収納し整理保管するためのソケットホルダーは多くの種類が提案されているが、殆んどの物がソケットをソケットホルダーに保持するためにソケットホルダー自体にバネ性を持たせたりバネ性を有する保持装置をホルダーに設けることで嵌め合いを維持する方法としているため、ソケットをソケットホルダーに確実に保持するためにはソケットの重量に相応したバネの強さが必要となり嵌めあった状態では、常にソケットに保持力が掛っているために非常に外し難いという欠点があった。【０００３】  レバー等によって保持力を解除する事で取り外しを容易にした物もあるが機構が複雑になりコストが掛るという問題があった。
【特許文献１】特開２００２−０６６９４２
【非特許文献１】ＳＮＡＰＯＮ  ＣＡＴＡＬＯＧ  ７００
【発明の開示】
【発明が解決しようとする課題】
【０００４】  解決しようとする問題点は、ソケットをソケットホルダーに嵌めた状態では抜け落ちない様に確実に保持出来る事と、ソケットをソケットホルダーに嵌める時と取り外す時には保持力を解除する切り替えが簡単に行えるソケットホルダーを提案することである。
【課題を解決するための手段】
【０００５】  本発明は一般的に最も多く使用されている４角形の差込口のソケットに対してソケットホルダーの嵌め合う部分の形状を円柱形として、ソケットをソケットホルダーに嵌めた状態でも回転出来る様にし、ソケットホルダーの円柱部分にソケットを保持する為のバネ性を有した保持装置を設けることによって、ソケットとソケットホルダーが嵌め合った状態で回転させることにより嵌め合いの位置を変えることで、保持状態とその解除の切り替えを簡単に行う事を可能としたことを最も主要な特徴とする。
【発明の効果】
【０００６】  本発明のソケットホルダーは、ソケットをソケットホルダーに嵌め保持力を掛けた状態では確実に保持されてソケットの脱落を防止出来ると共にソケットをソケットホルダーに嵌める時と取り外す時は簡単に保持力を解除出来てソケットの嵌め合いと取り外しが何の抵抗も無く出来るという利点がある。
【発明を実施するための最良の形態】
【０００７】  ソケットホルダーのソケットが嵌めあう部分の形を円柱形として、その側面に保持装置を数箇所設けることによって、ソケットをソケットホルダーに嵌めた状態で回転させて嵌め合いの位置を変えることにより保持力を掛けたり解除したりを、簡単に切り替えることが出来るソケットホルダーを最も簡単な構造で実現した。
【実施例１】
【０００８】  図１は、本発明のソケットホルダーをソケットレールに取り付けた状態の立体図で、ソケットの大きさによってソケットホルダーをの位置をソケットレールに沿って移動できるところを示したものである。【０００９】  図２は、ソケットホルダーの三面図でソケットホルダーに設けた保持装置の位置を示したものである。【００１０】  図３は、４角形の差込口のソケットをソケットホルダーに嵌めて４５度回転させ保持力の解除状態から保持状態へ切り替えた所を示したものである。【００１１】  図４は、図３のソケットとソケットホルダーの嵌めあいの状態を示した断面図である。【００１２】  本発明は特許請求の範囲内で様々な材質や形態が可能であり上記の実施例の構成に限定される物ではない。
【産業上の利用可能性】
【００１３】  本発明のソケットホルダーはソケットと嵌めあった状態で回転させることで簡単に保持と、その解除を行うことが出来るのでソケットをこのソケットホルダーに嵌め、保持状態にすれば持ち運ぶ用途にも適用できる。
【図面の簡単な説明】
【００１４】
【図１】ソケットホルダーをソケットレールに取り付けた状態の立体図である。
【図２】ソケットホルダーの三面図である。
【図３】ソケットホルダーとソケットの嵌めあった状態を示した平面図である。
【図４】ソケットホルダーとソケットの嵌めあった状態を示した断面図である。
【符号の説明】
【００１５】１  ソケット
２  ソケットホルダー
３  ソケットレール
４  保持装置
【図１】
2005224932.tif 000003
【図２】
2005224932.tif 000004
【図３】
2005224932.tif 000005
【図４】
2005224932.tif 000006
(57)【要約】【課題】  この発明は、回転ナイフの切断を着脱自在にすることを目的としたものである。【解決手段】  この発明は、ボス部の外壁に複数の支持片を放射状に設置し、前記各支持片へ切断刃を着脱自在に固定したことを特徴とする生海苔用回転ナイフにより目的を達成した。【選択図】      図１
2005224923.tif 000002
【特許請求の範囲】
【請求項１】
ボス部の外壁に複数の支持片を放射状に設置し、前記各支持片へ切断刃を着脱自在に固定したことを特徴とする生海苔用回転ナイフ。
【請求項２】
ボス部の外壁に複数の支持片を放射状に設置し、前記各支持片へ切断刃を着脱自在に固定し、該固定は、支持片と切断刃に螺合する２本のねじにより締め付け固定し、前記２本のねじの中心を結ぶ線は、前記支持片の中心から放射状に設けられた線と角度をなしたことをと特徴とする生海苔用回転ナイフ。
【請求項３】
ボス部の外壁に複数の支持片を放射状に設置し、前記各支持片へ切断刃を着脱自在に固定し、前記支持片に段部を設けて、切断刃を嵌め込む形状とし、前記段部の入口縁を、奥部の隅各部よりボスの中心から、遠く形成したことを特徴とする生海苔用回転ナイフ。
【発明の詳細な説明】
【技術分野】
【０００１】
この発明は、養殖場（海）から採取した生海苔（原藻）を荒切り又は中、小に切る場合に使用する回転ナイフに関するものである。
【背景技術】
【０００２】
従来海から採取した生海苔は、海水と共に貯蔵タンクに入れておき、必要量宛取り出して生産ラインに載せている。前記生産ライン中前処理工程では、荒切り、異物除去、洗浄、脱水、細切断洗浄、脱水、調合、海苔抄き乾燥の順序に処理される。
【特許文献１】特許第２８０２３８０号
【発明の開示】
【発明が解決しようとする課題】
【０００３】
従来回転ナイフは、一体成型物であったから、ボス部及び放射状部並びに切断刃部は同一材質であった。従って切断刃が減耗した場合には、全部取り替えなればならない問題点があった。
【０００４】
またボス部と放射状部の材質と、切断刃とが同材質の為に、切断刃として最良の材質が、必ずしもボス部の最良の材質ではないという問題点もあった。
【課題を解決するための手段】
【０００５】
この発明は、切断刃とその支持片とを別製にして、両者をねじ止め（着脱自在に固定）することにより、前記従来の問題点を解決したのである。
【０００６】
即ちこの発明は、ボス部の外壁に複数の支持片を放射状に設置し、前記各支持片へ切断刃を着脱自在に固定したことを特徴とする生海苔用回転ナイフである。
【０００７】
また他の発明は、ボス部の外壁に複数の支持片を放射状に設置し、前記各支持片へ切断刃を着脱自在に固定し、該固定は、支持片と切断刃に螺合する２本のねじにより締め付け固定し、前記２本のねじの中心を結ぶ線は、前記支持片の中心から放射状に設けられた線と角度をなしたことをと特徴とする生海苔用回転ナイフであり、ボス部の外壁に複数の支持片を放射状に設置し、前記各支持片へ切断刃を着脱自在に固定し、前記支持片に段部を設けて、切断刃を嵌め込む形状とし、前記段部の入口縁を、奥部の隅各部よりボスの中心から、遠く形成したことを特徴とする生海苔用回転ナイフである。
【０００８】
前記において、ボス付の支持片は強靭で剛性が大きく、切断刃は強靭で耐摩性が大きいことが望ましい。また切断刃を嵌め込む段部の形状は、少なくとも、入口側縁を、角隅部よりもボスの中心から遠くなるように形成することにより、切断刃に外力を受けた場合に、切断刃は脱抜の反対上向に力を受けることになり、自動脱抜は当然防止される。前記における切断刃の上面は面一であって、固定プレートの下面へ平行に摺接する。
【発明の効果】
【０００９】
この発明は、ボス付支持片へ切断刃を着脱自在に固定したので、支持片に関係なく切断刃の材質を選定できる効果がある。
【００１０】
また２本のビスを使用すれば、支持片の段部形状と相俟って切断刃の固定状態を確実にする効果がある。
【発明を実施するための最良の形態】
【００１１】
この発明はボスの外周部から、複数本の支持片を放射状に突設し、各支持片に切断刃用の段部を設け、この段部へ切断刃を嵌挿して、ねじ固定した回転ナイフである。
【実施例】
【００１２】
この発明の実施例を図面について説明すれば、回転軸へ嵌装固定する為に平面正方形の軸孔１ａを有するボス部１の外壁へ、４本の支持片２、２を放射状に突設し、前記支持片２、２に夫々段部３、３を設け、夫々の段部３、３へ切断刃４、４を夫々嵌入して、ねじ５で螺入固定したものである。
【００１３】
前記において、ボス部１の中心部Ｏと、ねじの中心を通過する線Ｌ３と、二本のねじ５の中心を結ぶ線Ｌ４とは小角度を持たせてある。
【００１４】
また段部３の入口側３ａと、ボス部１の中心Ｏとの距離Ｌ２と、前記段部３の隅角部３ｂと、ボス部の中心Ｏとの距離Ｌ１は、Ｌ２＞Ｌ１の関係を保たせてある。従って切断時に矢示６の方向から外力が掛れば、切断刃４は矢示７の方向へ押し付けられるので、自動的に外れるおそれはない。図中８はねじ孔である。
【００１５】
前記のように切断刃４はねじ５によって固定されるので、ねじ５の着脱により容易に着脱することができる。
【図面の簡単な説明】
【００１６】
【図１】（ａ）この発明の実施例の平面図、（ｂ）同じく（ａ）中Ａ−Ａ断面図、（ｃ）同じく（ｂ）中Ｂ−Ｂ断面図。
【図２】（ａ）同じく正面図、（ｂ）同じく底面図。
【符号の説明】
【００１７】
１  ボス部
２  支持片
３  段部
４  切断刃
５  ねじ
【図１】
2005224923.tif 000003
【図２】
2005224923.tif 000004
(57)【要約】【課題】一度に多くの面積を塗布するためにスポンジの内側に塗布材を補充できる空間層２を設け、塗布材を多量に含浸させ、且つタレないように保護膜３を使い適量を塗布できるようなスポンジローラーを提供する。【解決手段】スポンジの内側に空間層２を作り、保護膜３で被うことによってタレないで多くの面積を塗布することができる。【選択図】  図２
2005224786.tif 000002
【特許請求の範囲】
【請求項１】
スポンジローラーの内側に空間を設けることにより、塗布する塗布材を大量に蓄積させ、塗布面積が増える大量塗布用スポンジローラー。
【発明の詳細な説明】
【発明の詳細な説明】
【技術分野】
【０００１】  本発明品は、塗布面積を増加させるために、内側に空間層を設け塗布するものの含浸量を増やして使用できるようにしたものである。
【背景技術】
【０００２】  表面からコア部分まで同じで空間を設けたものは無かった。
【発明が解決しようとする課題】
【０００３】  多くの面積を塗布しようとした場合、多くの塗布材を含浸させなければならないが、同じ密度の素材であった場合おのずと限界がある。また、無理をするとタレの原因にもなる。そこで内側に空間層を作ることによって、含浸量を確保し一度に外側に出ないように保護膜を使用した。本発明品はこの課題を解消するためになされたものである。
【課題を解決するための手段】
【０００４】  スポンジローラーの内側に空間層を作ることにより、充分な含浸量を確保し、タレ対策として保護膜を使用する。これにより一度に多くの面積を塗布することが可能になり、タレの心配も無くなった。
【発名の実施の形態】
【０００５】以下、本発明の実施形態について説明する。
（イ）コアに近い内側を空間層にして、その次に保護膜を巻きつける。さらにその上に表面用のスポンジを巻きつける。
（ロ）空間層と保護膜の幅はスポンジよりも短くし、表面と全体をスポンジで被う。
【発明の効果】
【０００６】  一度に多くの面積を塗布する場合に多量の塗布材を含浸できる空間層を持ったスポンジローラーであればできる。それにより作業能率が良くなり、人の工数も少なくなって工期の短縮につながる。
【図面の簡単な説明】
【図１】本発明品の側面断面図である。
【図２】本発明品の平面断面図である。
【符号の説明】
１コア
２空間層
３保護膜
４スポンジ
【図１】
2005224786.tif 000003
【図２】
2005224786.tif 000004
(57)【要約】【課題】従来の水槽及び浴槽などの水質殺菌は、塩素殺菌が行われ、塩素の濃度管理、設備費用が高い、塩素の人体への悪影響、配管に錆びを促進させること及び水質の変質などの問題があった。【解決手段】複数の殺菌作用がある光触媒金属で製作した攪拌エレメントと、外側より光照射を可能にする透明パイプなどで構成される光触媒殺菌を可能にした、ラインミキサーを使用することによる水質殺菌を行う。光触媒殺菌をすることにより、濃度管理が不要になり、設備費用も安く、人体に無害で、錆びの心配もなく、かつ水質の変質がない殺菌が可能になる。【選択図】  図３
2005224784.tif 000002
【特許請求の範囲】
【請求項１】
複数の殺菌作用がある光触媒金属で製作した攪拌エレメント７ａと、外側から光照射を可能にする透明パイプ７ｂと、水漏れを防止するパッキン７ｃと、以上を固定するためのフランジ７ｄ及び六角穴付ボルト７ｅで、構成される光触媒殺菌を可能にしたラインミキサー７を、使用することによる水質殺菌に関する。（図３参照）
【発明の詳細な説明】
【技術分野】
【０００１】本発明は、水槽９や浴槽などの水質殺菌化を図った、光触媒殺菌を可能にしたラインミキサー７に関する。
【背景技術】
【０００２】従来、水槽９や浴槽などの水質殺菌には、厚生労働省が薬品（次亜塩）による殺菌を指導しているため、一般に水質殺菌には塩素殺菌を使用している。
【発明の開示】
【発明が解決しようとする課題】
【０００３】そのため、塩素殺菌には次のような欠点があった。（イ）塩素殺菌は、塩素の揮発性が高く、かつ濃度範囲の設定をするための濃度管理が非常に面倒である。（ロ）塩素殺菌の自動注入器の費用が高い。（ハ）塩素の消費費用が必要になる。（ニ）塩素は人体の肌荒れトラブルを生じる原因になる。（ホ）塩素は配管の錆びを促進させる。（ヘ）塩素は水質を変質させる。
【課題を解決するための手段】
【０００４】複数の殺菌作用がある光触媒金属で製作した攪拌エレメント７ａと、外側から光照射を可能にする透明パイプ７ｂと、水漏れを防止するパッキン７ｃと、以上を固定するためのフランジ７ｄ及び六角穴付ボルト７ｅで構成される光触媒殺菌を可能にしたラインミキサー７を、使用することによる水質殺菌をする。
【発明を実施するための最良の形態】
【０００５】以下本発明の実施の形態について、図１〜３をもとに説明する。（イ）光触媒殺菌をするためにラインミキサー７に、水槽９より水を輸送するために、水ポンプ１を使用する。（ロ）水を輸送するとき、水の逆流を防ぐために水逆止バルブ２と流量調整のために水バルブ３を設ける。（ハ）水をよりよく攪拌させるために、空気を液に注入させるブロワーポンプ４を使用する。（ニ）空気を輸送するとき、空気の逆流を防ぐために空気逆止バルブ５と流量調整のために空気バルブ６を設ける。（ホ）複数の殺菌作用がある光触媒金属で製作した攪拌エレメント７ａと、外側から光照射を可能にする透明パイプ７ｂと、水漏れを防止するパッキン７ｃと、以上を固定するためのフランジ７ｄ及び六角穴付ボルト７ｅで構成される光触媒殺菌を可能にしたラインミキサー７を設ける。【０００６】  以上の構成のもとに次のように使用される。水槽９の水が水ポンプ１に吸引されて、配管に供給されると同時にブロワーポンプ４が稼動して、空気が配管内の水に供給され、水＋空気の混合状態で、光触媒殺菌するためのラインミキサー７に供給される。【０００７】水＋空気状態で供給された水＋空気は、光触媒殺菌作用があるチタン及びチタン合金製の攪拌エレメント７ａに激しく接触し、透明パイプ７ｂの外側より照射される光源８によって、光触媒作用が生じて、細菌類（レジオネラ菌、大腸菌、バクテリアなど）の有機物質を強力に酸化分解し、無害な水と炭酸ガスに変える。【０００８】攪拌エレメント７ａはラインミキサー７内に、同じ攪拌エレメント７ａと位相角度をずらして取り付けられることにより、水の流れを攪拌エレメント７ａ毎に方向転換を強制的に行うことで、より攪拌力を強める。【０００９】より攪拌力を強める結果、細菌類が攪拌エレメント７ａと接触する機会が増大し、外側からの光と攪拌エレメント７ａの光触媒殺菌作用で死滅する。【００１０】必要に応じて、攪拌エレメント７ａは、偶数個単位で増設することができ、光触媒殺菌作用を強化することができる。【００１１】ラインミキサー７を出た水は、配管に輸送され、水槽９にフィードバックされ、さらに循環することにより、水槽９内の水を殺菌する。
【発明の効果】
【００１２】本発明により次のような効果がある。（イ）塩素殺菌のような非常に面倒な濃度管理がなく、フリーメンテナンスである。（ロ）塩素濃度自動制御などが不要で、費用が安く済む。（ハ）塩素などの消耗品がなく費用が安く済む。（ニ）チタン及びチタン合金は人的無害である。（ホ）配管の錆びを促進させない。（ヘ）水質を変質させない。
【００１３】この光触媒殺菌をするラインミキサー７は、メンテナンス管理が簡単で、設置コストも安くかつホルムアルデヒドの分解、脱臭にも効果がある。
【図面の簡単な説明】
【００１４】【図１】光触媒殺菌装置フロー図
【図２】ラインミキサー平面図
【図３】ラインミキサー正面断面図
【図４】攪拌エレメント平面図
【図５】攪拌エレメント正面図
【図６】攪拌エレメント底面図
【符号の説明】
【００１５】１  水ポンプ２  水逆止バルブ３  水バルブ４  ブロワーポンプ５  空気逆止バルブ６  空気バルブ７  ラインミキサー    ７ａ  攪拌エレメント    ７ｂ  透明パイプ    ７ｃ  パッキン    ７ｄ  フランジ    ７ｅ  六角穴付ボルト８  光源９  水槽
【図１】
2005224784.tif 000003
【図２】
2005224784.tif 000004
【図３】
2005224784.tif 000005
【図４】
2005224784.tif 000006
【図５】
2005224784.tif 000007
【図６】
2005224784.tif 000008
(57)【要約】【課題】  デジタル一眼レフカメラのローパスフィルターに付着した、ゴミや汚れを清掃する時に用いる、清掃棒に関するものである。【解決手段】清掃棒本体に伸縮する機能を持たせ、一定の圧力を清掃面へ伝達する。切断して清掃面への長さ調整が可能である先端部は、余分なクリーニングペーパーが露出しないため、清掃時の微小なケバの落下を防止し、筒状の先靖に清掃部を差込交換できる機能を設ける。山形をした清掃部が圧力により押し広げられ、均一な圧力と清掃面を得ることを特徴とした、ローパスフィルター拭き圧調整清掃棒である。【選択図】    図１
2005224785.tif 000002
【特許請求の範囲】
【請求項１】
清掃棒本体に伸縮する機能を持たせ、一定の圧力を清掃面へ伝達し、過度な圧力を与えて清掃面にキズつけないことを特徴とするローパスフィルター拭き圧調整清掃棒。
【請求項２】
切断して清掃面への長さ調整が可能であり、筒状の先端部に清掃部を差込交換できることを特徴とするローパスフィルター拭き圧調整清掃棒。
【請求項３】
清掃部の形状が山形をしており、垂直方向からの圧力により押し広げられ、均一な圧力と清掃面を得ることを特徴とするローパスフィルター拭き圧調整清掃棒。
【発明の詳細な説明】
【発明の詳細な説明】
【技術分野】
【０００１】  この発明は、デジタル一眼レフカメラのローパスフィルターに付着した、ゴミや汚れを清掃する時に用いる、清掃棒に関するものである。
【背景技術】
【０００２】  従来のローパスフィルター清掃では、図２に示すように、棒状の清掃棒１にクリーニングペーパー２を巻きつけ、溶剤を用いて清掃をしていた。
【発明が解決しようとする課題】
【０００３】  そのため、次のような欠点があった。
（イ）清掃面への拭き圧力に熟練が必要で、特に初心者が清掃を行えば、ローパスフィルターにキズをつけてしまう可能性があるため、メーカーへ清掃を依頼するしか方法がなかった。
（ロ）清掃面への長さ調整は、クリーニングペーパーで巻きつけられた棒状の清掃棒の持つ位置を変えるしかなく、微小なケバが清掃時にローパスフィルターへ落下し、新たなゴミを発生させていた。
（ハ）清掃する度にクリーニングペーパーを巻きつける手間がかかり、巻きつけ方によっては均一な清掃面を得ることができなかった。
本発明は、これらの欠点を解決するためになされたものである。
【課題を解決するための手段】
【０００４】  以上の問題を解決するために、清掃棒本体に伸縮する機能を持たせ、一定の圧力を清掃面へ伝達する。切断して清掃面への長さ調整が可能である先端部は、余分なクリーニングペーパーが露出しないため、清掃時の微小なケバの落下を防止し、筒状の先端に清掃部を差込交換できる機能を設ける。山形をした清掃部が圧力により押し広げられ、均一な圧力と清掃面を得る。
本発明は、以上の構成からなるローパスフィルター拭き圧調整清掃棒である。
【発明を実施するための最良の形態】
【０００５】  以下、本発明の実施の形態を図１に示す。
清掃棒本体に組み込まれているバネ１により、伸縮部２が上下に伸縮し、過度な圧力を防止して熟練が必要な清掃圧を確保する。切断して清掃面への長さ調整が可能である先端部３は、余分なクリーニングペーパーが露出しないため、清掃時の微小なケバの落下を防止する。筒状の先端３に、清掃部４を差し込んで清掃の度に交換する。山形に成形された清掃部４はバネ１により得られた圧力により押し広げられ、均一な清掃面を得る。本発明は以上のような構造で、これを使用するときは、清掃部に溶剤をしみこませたあと、余分な溶剤を拭ってからローパスフィルターに対して、垂直に軽く押し当てる。必ずバネの伸縮範囲内で圧力を加え、円を描きながらローパスフィルターのゴミや汚れを拭きとっていく。
【発明の効果】
【０００６】  ローパスフィルターへの拭き圧力が伸縮機能により調整されるため、熟練を必要とせず、初心者の方でも簡単に清掃が可能となり、レンズ交換ができる一眼デジタルカメラの最大の欠点であるゴミ問題を解決できる。
従来の清掃方法ではクリーニングペーパーを手で巻きつける、非常に煩わしい作業が必要であったが、差込式の清掃部をあらかじめ用意しておくことにより、効率よく清掃が行える。また、クリーニングペーパーの露出部分が非常に少ないため、微小なケバの落下を防止でき、先端部を切断して清掃面への長さ調整ができるため、あらゆるメーカーの一眼デジタルカメラに対応することができる。
清掃部の形状が山形をしており、垂直方向からの圧力により押し広げられ、均一な圧力と清掃面を得られる。また、差込式のため、清掃部の形を自由に設定できる。
【図面の簡単な説明】
【図１】  本発明の使用状態を示す説明図である。
【図２】  従来の技術を示す説明図である。
【符号の説明】
【図１】
１  バネ
２  伸縮部
３  先端部
４  清掃部（クリーニングペーパー）
【図２】
１  清掃棒
２  クリーニングペーパー
【図１】
2005224785.tif 000003
【図２】
2005224785.tif 000004
(57)【要約】【課題】コースを狙って球を打つ練習を実戦的、効果的に行なう為の球技用練習機を提供する。【解決手段】シート状又は板状本体（１）にセンサ（２）、光発信装置又は音発信装置（３）を内蔵する。本体（１）は、厚さを薄くして又設置場所と同じ様な模様にして目立ちにくくする。センサ（２）が衝撃を感知すると、信号を光発信装置又は音発信装置（３）に伝達し、光発信装置又は音発信装置（３）が外部に光又は音を発信する。これにより球が狙った場所に入ったのか、出たのかを離れた場所から容易に確認できる球技用練習機に関するものである。【選択図】図１
2005224269.tif 000002
【特許請求の範囲】
【請求項１】
シート状もしくは板状の本体（１）に球が当たると、本体内のセンサ（２）が衝撃を感知して、本体に内蔵された光発信装置又は音発信装置（３）に信号を伝達して、外部に光又は音を発信する球技用練習機。
【請求項２】
シート状もしくは板状の本体（４）に球が当たると、本体内のセンサ（５）が本体内部の圧力変化を感知して、本体に内蔵された光発信装置又は音発信装置（６）に信号を伝達して、外部に光又は音を発信する球技用練習機。
【請求項３】
枠状本体（７）の枠内に球が入ると、枠状本体内の光センサ（８）が感知して、本体に内蔵された光発信装置又は音発信装置（９）に信号を伝達して、外部に光又は音を発信する球技用練習機。
【請求項４】
本体表面の模様が設置場所と同一もしくはそれに類似した模様の請求項１又は請求項２又は請求項３記載の球技用練習機。
【発明の詳細な説明】
【技術分野】
【０００１】
本発明は、例えばテニスにおいて、コースを狙ってボールを打つ練習を行う場合に、ボールが狙った場所に入ったのか、出たのかを離れた場所から容易に確認するための球技用練習機に関するものである。
【背景技術】
【０００２】
例えばテニスにおいて、コースを狙ってボールを打つ練習を行う場合、そのコースの到達地点に目標物を置き、それを狙ってボールを打っていた。
【発明の開示】
【発明が解決しようとする課題】
【０００３】
（イ）試合中は、この様な目立つ目標物が存在しない為、実戦的な練習にはならない。
（ロ）打ったボールが目標物に当たると、目標物が倒れたり移動したりする為、目標物を元の位置に戻す必要がある。
本発明は、これらの問題点を解決するためになされたものである。
【課題を解決するための手段】
【０００４】
（イ）請求項１は、シート状もしくは板状の本体（１）に球が当たると、衝撃を感知するセンサ（２）により、本体（１）に内蔵された光発信装置又は音発信装置（３）に信号を伝達する。
（ロ）請求項２は、シート状もしくは板状の本体（４）に球が当たると、本体内部の圧力変化を感知するセンサ（５）により、本体（４）に内蔵された光発信装置又は音発信装置（６）に信号を伝達する。
（ハ）請求項３は、枠状本体（７）の枠内に球が入ると、球を感知する光センサ（８）により、本体（７）に内蔵された光発信装置又は音発信装置（９）に信号を伝達する。
本発明は、以上のような構成よりなる球技用練習機である。
【発明の効果】
【０００５】
これには次のような効果がある。
（イ）例えばテニスにおいて、サーブやストロークの練習でライン付近を狙う場合、ラインに沿ってこの球技用練習機を置くことにより、ボールがラインの外側に出たのか、内側に入ったのかを離れた位置からでも正確に確認できるようになる。
（ロ）球技用練習機の表面の色をコートと同色にしたり、本体の厚みを薄くして目立ちにくくすることにより、実戦的な練習が行える。
（ハ）球技用練習機の形状や大きさを技術レベルや練習目的に応じて変えることにより効果的な練習が行える。
【発明を実施するための最良の形態】
【０００６】
以下、本発明の実施例について説明する。
（イ）シート状又は板状本体（１）にセンサ（２）、光発信装置又は音発信装置（３）を内蔵する。本体（１）は、厚さを薄くして又設置場所と同じ様な模様にして目立ちにくくする。センサ（２）が衝撃を感知すると、信号を光発信装置又は音発信装置（３）に伝達し、光発信装置又は音発信装置（３）が外部に光又は音を発信する。
（ロ）シート状又は板状本体（４）にセンサ（５）、光発信装置又は音発信装置（６）を内蔵する。本体（４）は、厚さを薄くして又設置場所と同じ様な模様にして目立ちにくくする。センサ（５）が本体内部の圧力変化を感知すると、信号を光発信装置又は音発信装置（６）に伝達し、光発信装置又は音発信装置（６）が外部に光又は音を発信する。
（ハ）枠状本体（７）に光センサ（８）、光発信装置又は音発信装置（９）を内蔵する。本体（７）は、厚さを薄くして又設置場所と同じ様な模様にして目立ちにくくする。光センサ（８）が枠内に入ってきた球を感知すると、信号を光発信装置又は音発信装置（９）に伝達し、光発信装置又は音発信装置（９）が外部に光又は音を発信する。
【図面の簡単な説明】
【０００７】
【図１】本発明請求項１の斜視図である。
【図２】本発明請求項２の斜視図である。
【図３】本発明請求項３の斜視図である。
【図４】本発明請求項１の実施例である。
【符号の説明】
【０００８】
１    本体
２    センサ
３    光発信装置又は音発信装置
４    本体
５    センサ
６    光発信装置又は音発信装置
７    本体
８    センサ
９    光発信装置又は音発信装置
１０  テニスコートのライン
【図１】
2005224269.tif 000003
【図２】
2005224269.tif 000004
【図３】
2005224269.tif 000005
【図４】
2005224269.tif 000006
(57)【要約】【課題】【解決】増菌培地で培養できなかった細菌を分離培養する新たな手段となる。【解決手段】ドングリ状のカプセル１の底部に分離したい細菌が通過できる大きさのメッシュ状のフィルター２（濾過用フィルター）が取り付けてあり、液体培地投入孔３が頭部にあり、投入孔から期待すべき細菌の増殖培地を投入することができ、また、頭部に若干の空気を残すことにより、培養液中や汚水に浮かぶことができる。【選択図】  図１
2005224227.tif 000002
【特許請求の範囲】
【請求項１】
カプセルに細菌が通過可能なフィルターを取り付けることにより、フィルターのメッシュの大きさによる選択が可能で、運動性のある細菌を分離増殖できる培養カプセル。
【請求項２】
カプセル内には培地が投入でき、通過菌はさらに選択増殖するため分離が一層容易くなる培養カプセル。
【発明の詳細な説明】
【発明の詳細な説明】
【技術分野】
【０００１】  本発明は、カプセルの一方に細菌が通過可能なメッシュ状のフィルターを設け、内部には培地を投入することができるようになっていて通過したわずかな菌が内部で増殖できるようになっているため、容易に細菌分離が可能にする技術に関する。
【背景技術】
【０００２】  従来、腸内細菌科では胆汁酸を用いるなど細菌の分離は選択培地を用いて検査している。さらに、糞便、汚水、塵埃等の細菌分離には各種の増菌培地が考案されているが、選択する物質により増殖を阻害する場合がある。現在、サルモネラを増菌培養するにはテトラチオン酸塩、亜セレン酸塩を含むものに二大別され、それに色素剤が加えられているのが現状である。しかし、これらの選択培地では発育できないものが存在する。
【発明が解決しようとする課題】
【０００３】  しかし、従来の増菌培養による方法では、増菌培地に含んだ選択するための物質が増殖を阻害することがあるため、分離培養できないことがある。そこで、増殖阻害のない培養方式を課題とする。
【課題を解決するための手段】
【０００４】  上記課題を解決するために、本発明では、菌の運動性の強さ、菌の大きさによる物理的な選択方法であるため増殖の阻害は起こらない。
【発明を実施するための最良の形態】
【０００５】  本発明は、増殖阻害する選択物質を使わないため、菌に与える影響の少ない分離方法である。それを図面について説明すると、ドングリ状のカプセル１の底部にメッシュ状のフィルター２（既存：濾過用フィルター）が取り付けてある。また、培地投入孔３が頭部にあり、投入孔から期待すべき細菌の増殖培地を投入することができる。さらに、頭部に若干の空気を残し、栓をすることにより、培養液中や汚水に浮かばせることができる。
【実施例】
【０００６】  試験管内などで材料を培養増殖させ、その中に本カプセルを投入することにより、必要とする菌を分離する。採材はカプセル内の培養液を取り出し培養する。０．６５ｕｍのメッシュのフィルターによりＳａｌｍｏｎｅｌｌａ  ｃｈｏｌｅｒａｅｓｕｉｓの分離が可能であった。メッシュの大きさを変えることにより、他の菌種にも応用可能である。
【発明の効果】
【０００７】  本発明は以上に説明したような構成により次のような効果を奏する。本発明では増殖を阻害する物質の添加もないため、菌に悪影響を及ぼすことなく菌の選択分離を行うことができる。
【図面の簡単な説明】
【図１】    培地投入孔を含めたカプセルとフィルターの断面図である。
【図２】    フィルターとカプセルの側面図である。
【図３】    培地投入孔と栓
【符号の説明】
１  カプセル
２  フィルター
３  培地投入孔
４  投入孔の栓
【図１】
2005224227.tif 000003
【図２】
2005224227.tif 000004
【図３】
2005224227.tif 000005
(57)【要約】【課題】  犬の散歩の際は、糞処理が何よりの課題である。杖一本で糞取り収納また、いま課題のたばこの吸い殻収納及び、杖本来の役目も果たす事を提供する。【解決手段】  角丸問わずパイプ杖１１の中に、軸棒を垂直に立て上部手元１２にそって１３レバーを１８軸棒に取り付ける事により、上下スライドする。一方、下部２０〜２３の軸に連結棒１８が下がると同時に、２２が開き糞をはさみ取り収納する。一方、廃棄時には、手元レバー１３を上げる事により落下させる。いずれも手元レバー１３の対策により糞をはさみ取り収納、廃棄、落下とすべてを終了する事が出来る。又、たばこの吸い殻収納杖としての役目を果たす。又、１９のバネにより常に糞は収納されたまま落下することはない装備。【選択図】  図１
2005224226.tif 000002
【特許請求の範囲】
【請求項１】
パイプ杖の下部を手元レバーにより開き、犬の糞をはさみ取り収納する。一方、手元レバーにより開き落下、廃棄するたばこの吸い殻を、パイプの中、上部手元に収納し取り除く事を特徴する、犬の糞取り収納杖。
【発明の詳細な説明】
【発明の詳細なる説明】
【技術分野】
【００１】  本発明は、犬の糞及びたばこの吸い殻を、杖本体パイプ内部に収納する構造に関する。
【背景技術】
【００２】  犬の散歩中、犬の糞を挟み取りビニール袋に入れ、持ち帰る。糞の入った容器その物を持ち歩くなど様々な、収納構造が提案されている。従来例えば、図５に示すようなものがある。平成１５年（特願２００３−０４６５７４）
【発明が解決しようとする課題】
【００３】  ところで、犬の散歩中路上であれ、公園の芝草場であれ、ところかまわず糞をする其の処理をしなければならず、必ず容器などに取り入れ持ち帰らなければならない。たばこの吸い殻も共用である。犬に糞については、人は糞に近づき何らかの収納容器を使い、処理しなければならない。
持ち帰ることは義務であるが、心地よい物ではない。そのため次のような課題が有り未だ改良の余地を残している。
【課題を解決するための手段】
【００４】  前記目的の達成課題を達成するため本発明に関わる犬の糞取り収納杖は、手元まで長さがあるため、糞に近づくことなく杖の下部を手元レバーにより開きはさみ取り収納する。一目見て杖であるため、犬の糞収納物とは思わず人目を気にする事はない。また、たばこの吸い殻も共用杖の手元より収納できるため、便利に使用できる。また、杖その物も老人や体の不自由な人に必要な物である。
【作用】
【００５】  本発明に係わる、犬の糞取り収納杖下部の部分を手元レバー１３で、犬の糞はさみ取り収納する物である。そのため、パイプが望ましい。また、杖としての使用もあり部材は軽量である事、また、たばこの吸い殻も収納するため、強度が要求される。さらに、複雑な構造は老人や体の不自由な人には望ましくない。
【実施例】
【００６】  以下、添付図面に基づいて本発明の実施例を説明する。
図１〜図４は本発明に係わる犬の糞取り収納杖の一例を示すものである。糞取り杖本体１１の下部２２を手元レバー１３を上げる事により連結している。本体１１の中にある１８が下がり２１のチョ板により２２が開く。又、レバー１３は１９のバネにより自動的に上がる。その時糞を２２がつまみ取る。本体１１パイプの中を垂直に下っている１８は、レバー１３〜２０〜２２と連結している為手元１３レバーだけ上下する事によりつまみ取り収納、廃棄、落下と役目を果たす。【００７】  このように、杖上部手元のレバー１３により連結している１８がスライドし上下するため、下部の２２が開き又閉じる。そこで、下部２２の中へ糞をつまみ入れる。本体下部２４は両面にあり、つまみ２２が開き閉じる時のスライドの時のぶれ止めであり又、糞のはみ出しを防ぐ役割を果たす。【００８】  さらに杖本体１１の上部天板に穴を明け、本体上部つまみふた１４を取り付けることにより、本体１１の上部の収納部にたばこの吸い殻を入れ、ふた１４を閉じることにより臭いは上昇しにくい。又、糞を取り除く事前に本体下部２２に液体洗剤をふりかけることがはさみやすく、投棄しやすい。【００９】  犬の糞取り収納杖は、１３〜１８〜１９〜２２とがパイプ本体内での構造であり、他から見た目もよく杖そのものである。また、パイプにより強度が有り杖として使用の危険も少ない。また、軽量金属を使用するため、老人や体の不自由な方にも手軽に使用できる。犬の散歩中杖の役目も果たし、さらに犬の糞取り収納、たばこの吸い殻処理と使い勝手は大きい物と思われる。
【発明の効果】
【０１０】  以上説明したように、本発明に係わる犬の糞取り収納杖は、杖本来の役目も果たし、犬の糞取りに使用しさらに、たばこの吸い殻も共用収納することが出来る。犬の散歩の時一番気になるのは、糞の取り収納である。杖一本持つことにより、犬の糞、たばこの吸い殻など気に病まずに、楽しい散歩が出来るものと思われます。
【図面の簡単な説明】
【図１】本発明に係わる犬の糞取り杖の一例を示す斜視図である。
【図２】本発明に係わる犬の糞取り杖の一例を示す上部横断面図である。
【図３】本発明に係わる犬の糞取り杖の一例を示す下部横断面図である。
【図４】本発明に係わる犬の糞取り杖の一例を示す下部正面図である。
【図５】犬の糞取り杖下部を折曲げすくい取る従来の犬の糞取り杖を示す断面図でる。
【符号の説明】
１１．杖本体。
１２．杖本体取手。
１３．杖取手レバー。
１４．杖上部たばこ吸い殻入れ蓋。
１５．たばこ吸い殻収納庫。
１６．レバー軸。
１７．レバー連結軸。
１８．スライド軸棒。
１９．バネ。
２０．スライド棒連結軸。
２１．開閉チョ板軸。
２２．はさみ取り収納フレーム。
２３．スライド棒連結軸。
２４．振れ止めフレーム。
【図１】
2005224226.tif 000003
【図２】
2005224226.tif 000004
【図３】
2005224226.tif 000005
【図４】
2005224226.tif 000006
【図５】
2005224226.tif 000007
(57)【要約】【課題】従来の喫煙方法として、火器具を使用するのが一般的で、火器具を携帯しなければならず、又、紛失するおそれがあった。又、ガスライター等の使用で、大気汚染に支障をきたす問題があった。【解決手段】喫煙するのに火器具として、マッチ及びガスライター等を持ち歩く事なく簡単に喫煙ができ、又、大気汚染に支障をきたさない方法はないかと考えタバコ本体上部部分に発火剤となる薬品、塩素酸カリウムと二酸化マンガンと硫黄を混合し付着させ、着火剤となる薬品、赤燐と硫化アンチモンを混合し、紙に塗布した物をタバコ本体収納ケース内側に取り付け、発火剤となるタバコ本体の上部部分と、着火剤を塗布したタバコ本体収納ケースの内側部分の紙との摩擦でタバコ本体を発火させ喫煙できる為、火器具を持ち歩く事なく、又、大気汚染に支障をきたさないものとした。【選択図】図２
2005224232.tif 000002
【特許請求の範囲】
【発明の詳細な説明】
【技術分野】
【０００１】本発明は、マッチ及び、ガスライター等を使用しないでタバコを喫煙するのに、地球環境にやさしく大気汚染をおかさないために、タバコ本体の上部部分に発火作用となる薬品、塩素酸カリウムと二酸化マンガンと硫黄を混合させたものを付着させタバコ本体収納ケース内側に、着火作用となる薬品、赤燐と硫化アンチモンを混合したものを紙に塗布し、発火部分と着火部分をこすることで摩擦がおき、タバコ本体上部部分が発火するようにしたものである。
【背景技術】
【０００２】従来は、タバコを喫煙するためには、火器具としてマッチ及びガスライター等を使用しなければならず、火器具を使わないで喫煙できるタバコがなかった。
【発明の開示】
【発明が解決しようとする課題】
【０００３】タバコを喫煙するためには火器具を使用しなければならず、そのためにマッチ及びガスライター等を常に携帯しなければならないのと、紛失するおそれがあった。また、ガスライター等を使用することにより、大気汚染が考えられた。この課題を解消するためになされたものである。
【課題を解決するための手段】
【０００４】タバコ本体１の上部部分２に発火剤となる薬品、塩素酸カリウムと二酸化マンガンと硫黄を混合したものを付着させ、タバコ本体収納ケース３の内側部分４に着火剤となる薬品、赤燐と硫化アンチモンを混合させたものを紙に塗布し、２の発火部分と、４の着火部分をこすることにより、摩擦でタバコ本体の上部部分２が発火するようにした。
【発明の効果】
【０００５】タバコ本体上部に発火剤を付着させ、タバコ本体収納ケース内側に着火剤を塗布した紙をとり付け、発火剤と着火剤をこすることにより摩擦で発火し、大気汚染の要因となるガスライター等を使用せず、持ち歩くこともなく、簡単に喫煙ができ地球環境にやさしい。
以下、本発明の実施の形態について説明する。
（イ）タバコ本体１の上部部分２に発火剤となる薬品、塩素酸カリウムと二酸化マンガンと硫黄を混合したものを付着させる。
（ロ）タバコ本体収納ケース３の内側部分４に着火剤となる薬品、赤燐と硫化アンチモンを混合し、紙に塗布し取り付ける。
（ハ）タバコ上部部分２とタバコ本体収納ケース内側部分４とをこすり、摩擦でタバコ上部部分２を発火させる。
【実施例１】
【０００６】タバコ本体１の上部部分２に、発火剤となる薬品、塩素酸カリウムと二酸化マンガンと硫黄を混合させたものを付着させタバコ本体収納ケース３の内側部分４に、着火作用となる薬品、赤燐と硫化アンチモンを混合したものを、紙に塗布し、発火部分２と着火部分４をこすることで、摩擦がおき２の部分が発火し、火器具を使用しないで、タバコを喫煙することができる。
【図面の簡単な説明】
【０００７】
【図１】  本発明の正面図である。
【図２】  本発明の断面図である。
【符号の説明】
【０００８】  １．タバコ本体
２．塩素酸カリウムと二酸化マンガンと硫黄の混合物
３．タバコ本体収納ケース
４．赤燐と硫化アンチモンの混合物を塗布した紙
【図１】
2005224232.tif 000003
【図２】
2005224232.tif 000004
【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
本発明は、マッチ及び、ガスライター等を使用しないでタバコを喫煙するのに、地球環境にやさしく大気汚染をおかさないために、タバコ本体の上部部分に発火作用となる薬品、塩素酸カリウムと二酸化マンガンと硫黄を混合させたものを付着させタバコ本体収納ケース内側に、着火作用となる薬品、赤燐と硫化アンチモンを混合したものを紙に塗布し、発火部分と着火部分をこすることで摩擦がおき、タバコ本体上部部分が発火するようにしたものである。
(57)【要約】【課題】  走行車輪の回転に準じて繰出インペラーが回転するようにしてタンク内の散布物を吐出するようにすることにより、作業者が例え未熟，経験の浅い者であっても散布量のバラツキはなく、計算通りの面積当たりの散布量を全域にわたって均一に散布できる車速連動式散布機を得る。【解決手段】  走行車輪１を備え、この走行車輪１の回転に準じて繰出インペラー９が回転するようにしてタンク４内の散布物を吐出するようにしてなる。【選択図】    図１
2005224208.tif 000002
【特許請求の範囲】
【請求項１】
走行車輪を備え、この走行車輪の回転に準じて繰出インペラーが回転するようにしてタンク内の散布物を吐出するようにしたことを特徴とする車速連動式散布機。
【発明の詳細な説明】
【技術分野】
【０００１】
本発明は、走行車輪を備えた車速連動式散布機に関するものである。
【背景技術】
【０００２】
従来のこの種の散布機は、走行スピードに合わせて吐出量が変化しないために、予め計算してある繰出インペラーの回転数（吐出量）を走行スピードに合わせて手動により段階的に切り変え、面積当たりの散布量をトータル的な散布量（吐出量）となるように作業者の目測や感に頼った散布を行っている。また、繰出インペラーを有しない散布機においては、シャッターの開度による吐出量の変化と走行スピードを複雑な計算あるいは目測や感に頼って散布を行っている。
【発明の開示】
【発明が解決しようとする課題】
【０００３】
解決しようとする問題は、従来のものでは前記したように走行スピードに合わせて行う散布量（吐出量）の調節，または吐出量に合わせた走行スピードの変化を作業者の目測や感に頼っているので、作業者が未熟，経験の浅い者である場合には定められた面積当たりの散布量が散布できず、そのために散布による効果が弱まり，さらには散布量の過剰によって害になることもあるという点である。
【課題を解決するための手段】
【０００４】
本発明は、走行車輪を備え、この走行車輪の回転に準じて繰出インペラーが回転するようにしてタンク内の散布物を吐出するようにしたことを特徴とする。
【発明の効果】
【０００５】
本発明は、走行車輪の回転に準じて繰出インペラーが回転するようにしてタンク内の散布物を吐出するようにしたので、作業者が例え未熟，経験の浅い者であっても散布量のバラツキはなく、計算通りの面積当たりの散布量を全域にわたって均一に散布できるという効果がある。
【発明を実施するための最良の形態】
【０００６】
走行車輪を備え、この走行車輪の回転に準じて繰出インペラーが回転するようにしてタンク内の散布物を吐出することにより、実現した。
【実施例１】
【０００７】
図１は本発明の一実施例を示す側面図、図２は図１の繰出インペラー部分を示す縦断側面図、図３は本機の散布状態を示す概略平面図である。
【０００８】
図において、１は車体枠２に装備した走行車輪、３は車体枠２に連設した操作ハンドル、４は車体枠２に搭載した粉剤タンク、５は粉剤タンク４の落下口に連設した繰出機構、６は繰出機構５の吐出側に設けた散布回転羽根、７は散布回転羽根６を駆動するモータ、８は２個の散粒口、９は繰出機構５の繰出インペラーで、走行車輪１の回転が伝達機構１０により変速機１１を介して伝動されてこれが走行車輪１の回転に準じて回転するようになっている。
【０００９】
本機（手押し一輪車）は、図３に示すように畦道１２を走行しながらその走行中に走行車輪１と同調して回転する繰出インペラー９により２個の散粒口８から左右両側に散布して、左右両側にある茶樹１３や菊の裾に散布物（粒状肥料）を散布する。
【００１０】
その際に、走行スピードは手押しということもあって大幅に変化するが、走行車輪１の回転数に準じて繰出インペラー９の回転数が同調するので、走行スピードに関係なく２個の散粒口８からの面積当たりの散布量は常時同じになる。散布回転羽根６は散布量とは関係なしに散粒口８からの散布物に噴出力を与えるものである。
【００１１】
そして、本機が停止すれば繰出インペラー９も走行車輪１の停止に伴って停止して自動的に散布しなくなるので、シャッターが不要になるし，再度走行すれば同じく繰出インペラー９も走行車輪１の回転に伴って回転して自動的に散布するようになる。
【００１２】
上記実施例では、本機を操作ハンドル３により手押しするものを示したが、走行車輪１をエンジンやモータで駆動して動力駆動するものとしても良い。また、変速機１１を介して繰出インペラー９を回転させるものを示したが、この変速機１１はなくても良い。
【実施例２】
【００１３】
前記実施例１では本機を一輪車として説明したが、走行車輪１の数はその駆動方式によっても左右されるので何個でも良いし、例えば前記実施例１と同じ手押しタイプのものであれば図４に示すように前後二輪車にすれば、一輪車に比べて車体枠２の走行安定性が得られるので作業性が良くなる。
【００１４】
なお、図４において走行車輪１が前後二輪車になること以外は、前記実施例１と全く同じで同等の効果が得られるので、ここでは説明を省略する。
【産業上の利用可能性】
【００１５】
本発明は、車輪で走行するタイプの散布機に広く活用できる。
【図面の簡単な説明】
【００１６】
【図１】本発明の実施例１を示す側面図である。
【図２】図１の繰出インペラー部分を示す縦断側面図である。
【図３】本機の散布状態を示す概略平面図である。
【図４】本発明の実施例２を示す側面図である。
【符号の説明】
【００１７】
１：走行車輪
２：車体枠
３：操作ハンドル
４：粉剤タンク
５：繰出機構
６：散布回転羽根
７：モータ
８：散粒口
９：繰出インペラー
１０：伝達機構
１１：変速機
１２：畦道
１３：茶樹
【図１】
2005224208.tif 000003
【図２】
2005224208.tif 000004
【図３】
2005224208.tif 000005
【図４】
2005224208.tif 000006